(57)【特許請求の範囲】
【請求項１】
釘打機本体の先端に設けられた釘射出用ノーズ部に沿って配置された下部コンタクトと、下部コンタクトの上部に螺合するアジャストボルトと、アジャストボルトとトリガレバーとの間に配置された上部コンタクトとを備え、下部コンタクトをノーズ部の先端方向に付勢する圧縮バネを備えた釘打機の安全装置において、
上記圧縮バネの下部を、上部コンタクトに形成した透孔を貫通してアジャストボルトの上端面に開口形成された凹部に収納し、
上記上部コンタクトをアジャストボルトに押圧させるクリックバネを上記圧縮バネの外周に配置し、クリックバネの下端を上記上部コンタクトに係合させた
ことを特徴とする釘打機の安全装置におけるバネ取り付け機構。
【発明の詳細な説明】
【０００１】
【発明の属する技術分野】
本発明は、安全上十分に強い加重のバネを従来の機構内に組み込んだ釘打機の安全装置におけるバネ取り付け機構に関する。
【０００２】
【従来技術】
一般に、釘打機には釘を射出するノーズ部に沿って作動するコンタクトアームによって構成される安全装置が設けられている。図５に示されるように、コンタクトアーム１０は下部コンタクト１１とその上部のアジャストナット１４に螺合下アジャストボルト１２と、その上の上部コンタクト１３とから構成され、下部コンタクト１１の下端はノーズ部８の先端よりも少し突出できるように配置されるとともに、上部コンタクト１３の上端はトリガレバー２の近傍に配置されている。上部コンタクト１３には圧縮バネ２６が係合し、コンタクトアーム１０は常時下方にバネ付勢されている。そして、上記下端を被打込み材の表面に押し付けることによって釘打機本体と相対的に移動させ、これにより上端も相対的に上昇してトリガレバー２の操作を有効にし、釘打機を釘打ち込み作動させるが、コンタクトアーム１０が動かない状態でトリガレバー２を操作してもその操作を無効とし、釘打機が暴発しないようにするものである。
【０００３】
また、上記安全装置には、釘打ち込み時におけるコンタクトアームのノーズ部先端からの出量を調整することによって釘の打ち込み深さを調整するアジャスト機構が設けられている。この調整はコンタクトアーム１０の上部に設けられたアジャストボルト１２をアジャストダイヤル２２で回転させることにより行なわれている。
【０００４】
上記アジャスト機構において、上部コンタクト１３とアジャストボルト１２との当接面には、アジャストボルトの回転を規制するためのクリック機構１７が形成されている。このクリック機構１７は、互いに当接する一方の面に溝、他方の面には放射状の突部を形成し、アジャストボルト１２を回転させるときに上記溝に突部を間隔的に係合させるようにしたものである。アジャスボルト１２の回転が容易かどうかは、上部コンタクト１３をアジャストボルトに押圧する上記圧縮バネ２６の強さによる。
【０００５】
さらに、コンタクトアームとトリガレバーの操作順に応じて打ち込みモード（連続打ちと単発打ち）を変更できるタイプのトリガ機構では、単発打ちの場合に上部コンタクト１３の一部２７が後から操作されたトリガレバー２の一部２８に係合して、下部コンタクト１１が下降しても上部コンタクト１３が下降するのを阻止するようにしている。このとき上部コンタクト１３とトリガレバー２の係合部には圧縮バネ２６の弾発力が作用する。
【０００６】
【発明が解決しようとする課題】
ところで、コンタクトアームをノーズ部の先端から突出するように付勢する圧縮バネ２６の荷重を釘打機の重量よりも大きく設定することにより、釘打機を床に立て掛けてコンタクトアーム１０の先端が床に当たって押し込まれるような姿勢になっても、コンタクトアーム１０が操作されないので、安全性がさらに向上することが知られている。
【０００７】
しかし、荷重の大きい圧縮バネの寸法は大きくせざるを得ず、従来よりも大きな取り付けスペースが必要となる。
【０００８】
圧縮バネ２６の荷重を大きくすると、上部コンタクト１３とアジャストボルト１２間の圧接力が大きくなってしまい、打ち込み深さ調整時のクリックの操作荷重が大きくなり、操作性が悪くなるという問題がある。
【０００９】
また、打ち込みモードの自動切り換え構造では、圧縮バネの荷重を大きくすることにより、上部コンタクト１３とトリガレバー２との係合部２７、２８には大きな荷重が作用するため、トリガレバー２の操作荷重が大きくなったり、係合部２７、２８の強度が大きくなるため、頑丈に構成する必要が生じ、大型化せざるを得ない。
【００１０】
さらに、釘打機を大型にするような場合も、重量が増大し、大きいバネ荷重で大きな寸法の圧縮バネを使用する必要がある。
【００１１】
このように、強いバネを取り付ける場合、従来のようにトリガレバー下方の限られたスペースに配置するのは困難である。といって、このバネの取付スペースをノーズ部の横に配置しようとすると、バネ部分や調整機構の部分が横に出っ張ることになるため、隅打ちなどのときに邪魔になり、作業がしにくいだけでなく、トリガレバーから遠い位置になるため、調整操作も面倒になる、という問題がある。
【００１２】
本発明は上記問題点を解消し、特に、安全上十分な荷重の圧縮バネを従来と同じ機構内に組み付けすることにより、隅打ち作業時の作業性・操作性が損なわれることがなく、また二重バネ構造とすることにより、打ち込み深さ調整時の操作性も損なわれることがないバネの取り付け機構を提供することをその課題とする。
【００１３】
【課題を解決するための手段】
前記課題を解決するため、本発明に係る釘打機の安全装置におけるバネ取り付け機構は、釘打機本体の先端に設けられた釘射出用ノーズ部に沿って配置された下部コンタクトと、下部コンタクトの上部に螺合するアジャストボルトと、アジャストボルトとトリガレバーとの間に配置された上部コンタクトとを備え、下部コンタクトをノーズ部の先端方向に付勢する圧縮バネを備えた釘打機の安全装置において、上記圧縮バネの下部を、上部コンタクトに形成した透孔を貫通してアジャストボルトの上端面に開口形成された凹部に収納し、上記上部コンタクトをアジャストボルトに押圧させるクリックバネを上記圧縮バネの外周に配置し、クリックバネの下端を上記上部コンタクトに係合させたことを特徴とする。
【００１４】
【発明の実施の形態】
図１において符号１は釘打機本体を示す。この釘打機本体１にはトリガレバー２と、トリガバルブ３と、メインバルブ（図示せず）と、打撃機構４とが設けられ、トリガレバー２を引き操作することによりトリガバルブ３を作動させてメインバルブを開き作動させ、メインエアチャンバ５内の圧縮エアを打撃機構の打撃シリンダ６内に供給して打撃ピストン（図示せず）とドライバ７を駆動し、このドライバ７によって釘打機本体１の下方に設けられた釘射出用ノーズ部８内の釘を打撃してノーズ部８の先端から釘を打ち出すように構成されている。９はノーズ部８に釘を供給するマガジンである。いずれも公知の機構である。
【００１５】
次に、上記釘打機本体１には、安全装置としてコンタクトアーム１０が設けられている。コンタクトアーム１０は、ノーズ部８に沿って配置された下部コンタクト１１と、下部コンタクト１１の上部に回転自在に配置されたアジャストボルト１２と、アジャストボルト１２とトリガレバー２との間に配置されたＬ字形の上部コンタクト１３とから構成されている。下部コンタクト１１の下端はノーズ部８の下端よりも下方に突出している。
【００１６】
図２に詳しく示したように、アジャストボルト１２は下部コンタクト１１の上部に固定されたアジャストナット１４に螺合している。トリガレバー２の直下部には筒状の収納部１５が形成され、上記上部コンタクト１３はこの収納部１５内に配置されている。収納部１５の外周にはアジャストダイヤル２２が回転操作可能に配置されている。アジャストダイヤル２２の中央には多角形の開口部が形成され、この開口部の内側には上記アジャストボルト１２が嵌合している。
【００１７】
また、上部コンタクト１３とアジャストボルト１２との間にはクリック機構１７が設けられている。このクリック機構１７は、互いに当接する上部コンタクト１３の水平部の下面とアジャストボルト１２の上面の一方に径方向に形成された溝（図示せず）、他方に周方向に間隔をおいて放射方向に複数の突部２３を形成し、アジャストボルト１２を回転させるときに上記溝に突部２３を間隔的に係合させるようにしたものである。
【００１８】
次に、上記アジャストボルト１２の上端面には上方に開口する凹部１６が形成され、この凹部１６の上方には上記収納部１５の上部に固定されたガイドピン２０が配置されている。そして、上記収納部１５の内部空間において、上部コンタクト１３の水平部１３ａの上面と収納部１５の上底部との間にはクリックバネ１８が配置されている。また、上記アジャストボルト１２の凹部１６の底部と収納部１５の間の空間には圧縮バネ１９が配置されている。圧縮バネ１９の上部はガイドピン２０にガイドされ、圧縮バネ１９の下部は、上部コンタクト１３に形成した透孔２１を貫通してアジャストボルト１２の上端面に開口形成された凹部１６に収納されている。このように、クリックバネ１８は圧縮バネ１９の外周に配置され、二重バネ構造となっている。
【００１９】
クリックバネ１８の下端は上部コンタクト１３に係合し、該上部コンタクト１３をアジャストボルト１２に対して押圧するもので、コンタクトアーム１０を下方に付勢する従来のバネと同じバネ力を有するものである。これに対し、圧縮バネ１９はアジャストボルト１２とともに下部コンタクト１１を下方に押圧するもので、クリックバネ１８よりも強いバネ力のバネである。圧縮バネ１９が加わることにより、クリックバネ１８と圧縮バネ１９とのバネ荷重の和は、釘打機全体の荷重よりも大きくなるように設定されている。なお、クリックバネ１８は、図５に示された従来の圧縮バネ２６と同じ強さのものでよい。
【００２０】
上記構成において、釘打ち込みにあたり、下部コンタクト１１の下端を圧縮バネ１９のバネ力に抗して被打込み材（図示せず）の表面に押し付けると、コンタクトアーム１０は釘打機本体１に対し相対的に上昇するので、図３のように上部コンタクト１３の上端がトリガレバー２のコンタクトレバー２４を押し上げる。これにより、トリガレバー２を上方に引き上げ操作したときに、コンタクトレバー２４がトリガバルブ３のステム２５を有効に押し上げることができるので、釘打機は釘打ち込み作動する。上記押し付け操作を行なわずにトリガレバー２を操作しても、トリガバルブ３は作動しない。また、アジャストダイヤル２２を回すことにより、アジャストナット１４に螺合したアジャストボルト１２を回転させ、コンタクトアーム１０の位置を上下に動かすことができるから、釘の打ち込み深さを調整することができる。
【００２１】
上述のように、上記釘打機のバネ取り付け機構によれば、従来のバネの取付スペースの下方に位置しているアジャストボルト１２を利用して凹部１６を形成することにより上下に長いバネ取付スペースを形成し、圧縮バネ１９の下端をこの凹部１６内に収容するようにしたので、大きなバネ荷重のバネ取り付けスペースを従来と同じ構成の機構内に確保することができた。このため、全体の機構の大型化を避けることができるほか、圧縮バネ１９の取付スペースやアジャスト機構をノーズ部８の横などに新しく確保する必要がないから、そのために生じる隅打ち時の作業性や操作性の不具合を回避することができる。
【００２２】
また、打ち込み深さの調整にあたり、アジャストボルト１２を回転させるときにはクリック機構１７が働くが、クリック機構１７に作用するバネ力、つまり上部コンタクト１３とアジャストボルト１２との間に設けられたクリックバネ１８のバネ力は、従来のものと同じバネ力であるから、アジャストダイヤル２２を回し操作する力は従来とほぼ同じでよく、操作性が悪くなることはない。
【００２３】
同様に、打ち込みモード切り換え機構を形成したものであっても、図４に示されるように、単発打ち時に上部コンタクト１３の上端係合部２７をトリガレバー２の受け部２８と係合させた場合も、上部コンタクト１３にはクリックバネ１８の荷重しかかからないので、トリガレバー２の操作荷重が大きくなることがなく、係合部２７と受け部２８を大きくして頑丈にする必要もないから、構造も従来と同様にして小型・軽量化が維持できる。
【００２４】
なお、クリックバネ１８と圧縮バネ１９とのバネ荷重の和は、釘打機全体の荷重よりも大きくなるように設定されているから、釘打機を床面に立て掛けておいても、下部コンタクト１１の下端が釘打機の重量によって押し込まれることがなく、暴発を有効に防止することができる。
【図面の簡単な説明】
【図１】本発明に係る釘打機の要部の縦断面図
【図２】上記釘打機の拡大図
【図３】上記釘打機の作動時の拡大図
【図４】単発打ち時の状態の拡大図
【図５】従来の釘打機の要部の縦断面図
【符号の説明】
１  釘打機本体
２  トリガレバー
８  ノーズ部
１１  下部コンタクト
１２  アジャストボルト
１３  上部コンタクト
１８  クリックバネ
１９  圧縮バネ
【図１】
0004161514.tif 000002
【図２】
0004161514.tif 000003
【図３】
0004161514.tif 000004
【図４】
0004161514.tif 000005
【図５】
0004161514.tif 000006